(57)【要約】  【課題】フロントスピーカー装置とリアスピーカー装置を含む多チャンネル用スピーカーシステムにおいて、音像をより鮮明にすることを課題とする。  【解決手段】少なくとも、聴取者の正面側に設けられる一対のフロントスピーカー装置と、前記聴取者の背面側に設けられる一対のリアスピーカー装置とを有する多チャンネル用スピーカーシステムにおいて、前記リアスピーカー装置を、バッフル型スピーカーもしくはバックロードホーン型スピーカーとし、スピーカーボックスにスピーカーが上方を向いて取り付けられるとともに、スピーカーボックスの底面に低音出力用の開口部が形成されるように構成する。【選択図】  図１
2008017194.tif 000002
【特許請求の範囲】
【請求項１】
少なくとも、聴取者の正面側に設けられる一対のフロントスピーカー装置と、前記聴取者の背面側に設けられる一対のリアスピーカー装置とを有する多チャンネル用スピーカーシステムであって、
前記リアスピーカー装置は、バッフル型スピーカーもしくはバックロードホーン型スピーカーであり、スピーカーボックスにスピーカーが上方を向いて取り付けられるとともに、スピーカーボックスの底面に低音出力用の開口部が形成される
多チャンネル用スピーカーシステム。
【請求項２】
前記リアスピーカーの底面には前記開口部と設置面との間に隙間を形成させる脚が形成されるとともに、前記隙間と外部とが連通する連通口が設けられる
請求項１に記載の多チャンネル用スピーカーシステム。
【発明の詳細な説明】
【技術分野】
【０００１】
本発明は、フロントスピーカー装置とリアスピーカー装置を含む、多チャンネル用スピーカーシステムに関する。
【背景技術】
【０００２】
従来、音響再生の臨場感を得るために、多チャンネル用のマルチスピーカーシステムが利用されてきた。多チャンネル用のスピーカーシステムは、1対のフロントスピーカーと、1対のリアスピーカーが設けられ、背後からの音をリアスピーカーにより再生することで臨場感を高めるように構成されることが一般的である。
【発明の開示】
【発明が解決しようとする課題】
【０００３】
しかし、従来の多チャンネル用スピーカーシステムはリアスピーカーとフロントスピーカーとが相向かい合うように配置されるので、リアスピーカーからの音圧がフロントスピーカーに影響を与え、音像がわかりにくくなるという問題がある。
本発明は、このような問題に鑑み、フロントスピーカー装置とリアスピーカー装置を含む多チャンネル用スピーカーシステムにおいて、音像をより鮮明にすることを課題とする。
【課題を解決するための手段】
【０００４】
上記課題を解決するために、本発明は次のような構成を有する。
請求項１に記載の発明は、少なくとも、聴取者の正面側に設けられる一対のフロントスピーカー装置と、前記聴取者の背面側に設けられる一対のリアスピーカー装置とを有する多チャンネル用スピーカーシステムにおいて、前記リアスピーカー装置は、バッフル型スピーカーもしくはバックロードホーン型スピーカーであり、スピーカーボックスにスピーカーが上方を向いて取り付けられるとともに、スピーカーボックスの底面に低音出力用の開口部が形成されるものである。なお、「低音出力用の開口部」は、バッフル型スピーカーにおいてはいわゆるダクトの開口部分が相当し、バックロードホーン型スピーカーにおいては、ホーンの開口部分が相当する。
請求項２に記載の発明は、前記多チャンネル用スピーカーシステムにおいて、前記リアスピーカーの底面には前記開口部と設置面との間に隙間を形成させる脚が形成されるとともに、前記隙間と外部とが連通する連通口が設けられるものである。
【発明の効果】
【０００５】
請求項１に記載の発明は、リアスピーカー装置のスピーカーから上方に向って中高音が出力されるとともに、スピーカーボックスの開口部から下方に向かって低音が出力され、直接フロントスピーカーに向う音圧が発生しないので、フロントスピーカーにリアスピーカーから発生する音が大きな影響を与えることがなく、結果として、音像をより鮮明にすることができる。
請求項２に記載の発明は、リアスピーカー装置を床に設置する場合において、低音出力用の開口部と設置面とに隙間ができるとともに、当該隙間は連通口により外部に連通するように構成されるので、低音出力用の開口部が床面に塞がれることなく、低音を外部に伝えることができる。
【発明を実施するための最良の形態】
【０００６】
以下、本発明の実施の形態について、図面を参照しながら説明する。
図１に本実施形態に係る多チャンネル用スピーカーシステムＸの構成を模式的に表す平面図を示す。本多チャンネル用スピーカーシステムＸは４チャンネルスピーカーシステムであり、聴取者Ｍの前面側に配置される1対のフロントスピーカー装置Ｆと、聴取者Ｍの背面側に配置されるリアスピーカー装置Ｒとから構成される。フロントスピーカー装置Ｆ、リアスピーカー装置Ｒは図示しない４チャンネル用アンプを通じて、４チャンネルの音声信号が入力される。
【０００７】
図２にリアスピーカー装置Ｒの一部破断斜視図を示す。リアスピーカー装置Ｒは、バッフル型スピーカーであり、縦長の直方体状のスピーカーボックス２０の上面２１にフルレンジのスピーカー１０が設けられており、スピーカーボックス２０の底面２２には、円筒体から形成されるダクト３０が設けられている。スピーカーボックス２０の下面には脚２３が左右に設けられており、スピーカーボックス２０の底面２２と設置面との間に隙間が形成される。そして、脚２３同士の間には連通口２３ａが前後に形成されることで、隙間と連通口２３ａを通じてダクト３０から出力される低音が外部に伝わるようになっている。
【０００８】
図３にフロントスピーカー装置Ｆの縦断面図を示す。フロントスピーカー装置Ｆはスピーカーボックス６０の前面上方に第一スピーカー４０が設けられるとともに、スピーカーボックス６０内において、第一スピーカー４０背面を囲むように形成される密閉部６２の背面側に第一スピーカー４０よりも大きな第２スピーカー５０が設けられている。そして、スピーカボックス６０の前面下方に低音出力用のダクト７０が設けられている。
【０００９】
以上のような構成を有する多チャンネル用スピーカーシステムＸから出力される４チャンネルの音響は、フロントスピーカー装置Ｆからの出力は全て前方の聴取者Ｍに向う一方、リアスピーカー装置Ｒからの出力はスピーカー１０からは上方に向かい、ダクト３０からは床に反射した後に前面および背面に向うこととなる。即ち、リアスピーカー装置Ｒから出力される音が直接前方に向うことがないので、フロントスピーカー装置Ｆから発生される音に対して強い音圧を与えることがなく、フロントスピーカー装置Ｆから出力される音の音像がかすんだりぼやけたりすることが抑制され、音像がより鮮明となる。
なお、上記実施形態において、リアスピーカー装置Ｒは脚２３間の連通口２３ａを前後に設けたが、連通口２３ａは前方だけでもよく、さらに、左右に設けてもよい。また、リアスピーカーを壁面などで支持する場合は、連通口２３ａは特に設けなくてもよい。
【図面の簡単な説明】
【００１０】
【図１】実施形態に係る多チャンネル用スピーカーシステムＸの構成を模式的に表す平面図である。
【図２】実施形態に係るリアスピーカー装置Ｒの一部破断斜視図である。
【図３】実施形態に係るフロントスピーカー装置Ｆの縦断面図である。
【符号の説明】
【００１１】
X  多チャンネル用スピーカーシステム
Ｆ  フロントスピーカー
Ｒ  リアスピーカー
１０  スピーカー
２０  スピーカーボックス
２１  上面
２２  底面
２３  脚
２３ａ  連通口
３０  ダクト
【図１】
2008017194.tif 000003
【図２】
2008017194.tif 000004
【図３】
2008017194.tif 000005